(57)【要約】 【課題】  試験器を使うことなく、火災感知器の試験を行うことを目的とする。【解決手段】住戸内に設けられた住宅情報盤と、該住宅情報盤に接続されたドアホンとを有し、住宅情報盤が、住戸内に設置された火災感知器の試験を行う試験回路を備えた防災設備において、ドアホンに、試験信号を出力する試験スイッチを設け、住宅情報盤に、試験信号を検出する試験信号検出回路と、試験信号を試験回路に入力させて動作させる制御手段とを設けた。  ドアホンに表示灯を設け、試験回路の試験結果が異常のとき、表示灯を点滅させる点滅回路を住宅情報盤に設けた。【選択図】図１
2008257298.tif 000002
【特許請求の範囲】
【請求項１】
住戸内に設けられた住宅情報盤と、該住宅情報盤に接続されたドアホンとを有し、前記住宅情報盤が、住戸内に設置された火災感知器の試験を行う試験回路を備えた防災設備において、
前記ドアホンに、試験信号を出力する試験スイッチを設け、
前記住宅情報盤に、該試験信号を検出する試験信号検出回路と、該試験信号を前記試験回路に入力させて動作させる制御手段とを設けたことを特徴とする防災設備。
【請求項２】
前記試験回路の試験結果を表示する表示部を、前記住宅情報盤に設けたことを特徴とする請求項１記載の防災設備。
【請求項３】
前記ドアホンに表示灯を設け、前記試験回路の試験結果が異常のとき、前記表示灯を点滅させる点滅回路を前記住宅情報盤に設けたことを特徴とする請求項１又は請求項２記載の防災設備。
【発明の詳細な説明】
【技術分野】
【０００１】
本発明は、防災設備に関するものである。
【背景技術】
【０００２】
従来、マンションなどの集合住宅において、各住戸には、火災感知器が設置されている。この火災感知器は、住戸内に設けた住宅情報盤に接続されており、火災時には、住宅情報盤で火災警報を行うようになっている。また、各住戸の住宅情報盤は、管理室に設けた制御装置に接続され、火災時には、この制御装置でも火災警報を行うようになっている。
【０００３】
住戸内に設けた火災感知器は、制御装置から試験信号を出力して、試験を行うことができるが、それ以外の方法として、特許文献１に示すように、住戸の玄関外から点検を行う方法がある。これは、住宅情報盤に接続されたドアホンに、点検用の端子を設け、この端子に遠隔試験器を接続して、火災感知器の試験を行うもので、住戸内に立ち入ることなく、火災感知器の試験を行うことができる。
【特許文献１】特開２００２−２８８７５３号公報
【発明の開示】
【発明が解決しようとする課題】
【０００４】
このように、従来のシステムでは、試験を行うのに試験器が必要であり、専門の点検業者でないと、火災感知器の点検を行うことができなかった。また、試験結果は、試験器に表示され、住戸内に住む居住者は、試験の結果について知ることができなかった。そこで、本発明は、試験器を使うことなく、火災感知器の試験を行うことを目的とする。
【課題を解決するための手段】
【０００５】
本発明は、住戸内に設けられた住宅情報盤と、該住宅情報盤に接続されたドアホンとを有し、前記住宅情報盤が、住戸内に設置された火災感知器の試験を行う試験回路を備えた防災設備において、ドアホンに、試験信号を出力する試験スイッチを設け、
住宅情報盤に、該試験信号を検出する試験信号検出回路と、該試験信号を前記試験回路に入力させて動作させる制御手段とを設けたことを特徴とするものである。
【発明の効果】
【０００６】
本発明は、ドアホンに、試験信号を出力する試験スイッチを設け、住宅情報盤に、試験信号を検出する試験信号検出回路と、試験信号を試験回路に入力させて動作させる制御手段とを設けたので、ドアホンの設置場所から、試験器を使うことなく、住戸内の火災感知器の試験を行うことができる。
【０００７】
また、住宅情報盤に、試験回路の試験結果を表示する表示部を設けたので、居住者は、表示部を見ることで、自宅の火災感知器が正常であるか否かを知ることができる。
【０００８】
また、ドアホンに表示灯を設け、試験回路の試験結果が異常のとき、表示灯を点滅させるようにしたので、ドアホン側で、試験スイッチを操作した者に、火災感知器の試験において、異常があったことを知らせることができる。
【発明を実施するための最良の形態】
【０００９】
以下、本発明の実施の形態を、図面を用いて説明する。図１は本発明の防災設備を構成する住宅情報盤とドアホンのブロック図である。図１において、２０は住戸内に設けられる住宅情報盤、４０は住宅情報盤２０に接続されるドアホンである。なお、図示しないが、住宅情報盤２０には、制御装置を介して、集合玄関に設けた集合玄関機が接続され、制御装置によって、インターホン通話を行うことができるようになっている。
【００１０】
住宅情報盤２０とドアホン４０とは通話線Ｌ１、試験線Ｌ２、及び表示灯線Ｌ３とで接続されている。ドアホン４０において、４１は通話線Ｌ１に接続された呼出回路で、呼出釦４２を有している。４３は通話線Ｌ１に接続された通話回路で、スピーカ４４とマイク４５とを備えている。
【００１１】
４６は、試験線Ｌ２に接続された試験スイッチで、操作されることで、試験信号を住宅情報盤２０に出力する。４７は表示灯で、表示灯線Ｌ３に接続され、ドアホン４０本体の表面に設けられる。
【００１２】
続いて、住宅情報盤２０について説明する。住宅情報盤２０において、２１は通話線Ｌ１に接続された呼出検出回路、２２は通話部で、第１の切換スイッチ２３を介して通話線Ｌ１に接続されている。通話部２２は、スピーカやマイクを有し、ドアホン４０の通話回路４３とインターホン通話を行うものである。
【００１３】
２４は、警報受信回路で、住戸内に設置された火災感知器１０からの火災信号を受信する回路である。この警報受信回路２４は、火災感知器１０の試験を行う試験回路２４Ｃを備えている。２５は試験信号検出回路で、試験線Ｌ２に接続され、ドアホン４０からの試験信号を検出する。
【００１４】
２６は表示灯４７を点灯させる点灯回路、２７は表示灯を点滅させる点滅回路で、第２の切換スイッチ２８を介して、いずれか一方が表示灯線Ｌ３に接続されている。通常状態では、第２の切換スイッチ２８は点灯回路２６側に接続されており、このため、表示灯４７は常時点灯しており、通電灯として機能している。２９は操作部で解錠釦や通話釦などを有している。
【００１５】
３０は、表示部で、各種メニュー画面を表示する他、試験回路２４Ｃの試験結果を表示する。３１は電源回路３２から電源が供給された、制御手段としての制御部で、住宅情報盤２０内の全ての構成ブロック２１〜３１と接続されて信号のやり取りをして、第１の切換スイッチ２３、第２の切換スイッチ２８の切換動作を制御する。
【００１６】
次に、ドアホン４０の試験スイッチ４６を操作して、住戸内の火災感知器１０の試験を行う場合について説明する。まず、ドアホン４０が設置された住戸の玄関先において、試験スイッチ４６を押して、オンにする。ここで、試験スイッチ４６を操作する者は、基本的には、点検業者であるが、居住者自身が試験スイッチ４６を操作しても、何ら差し支えない。
【００１７】
試験スイッチ４６がオンされると、例えば、試験線Ｌ２の電圧を変化させるなどして、住宅情報盤.２０側に試験信号が出力される。住宅情報盤２０の試験信号検出回路２５が電圧の変化を検出して、試験信号が発生したことをとらえると、制御部３１が、その試験信号を試験回路２４Ｃに入力して、試験回路２４Ｃを動作させる。
【００１８】
試験回路２４Ｃは、信号線Ｌ４に接続されている火災感知器１０の全部の動作試験を行う。試験回路２４Ｃは、まず先頭の火災感知器１０に試験命令を送信し、動作試験を行わせ、この試験結果を受信し、制御部３１に出力する。続いて、試験回路２４Ｃは、次の火災感知器１０に試験命令を送信し、動作試験を行わせ、この試験結果を受信し、制御部３１に出力する。なお、試験回路２４Ｃは、動作試験命令を送信してから、所定時間、試験結果を受信しない場合には、その火災感知器１０が故障していると判断し、次の火災感知器１０の動作試験に移るように構成されている。
【００１９】
そして、その住戸内の全部の火災感知器１０の動作試験が終了すると、制御部３１は、試験回路２４Ｃから受け取った各火災感知器１０の試験結果に基づいて、試験結果情報を作成する。
【００２０】
制御部３１は、試験回路２４Ｃの試験結果を、表示部３０に表示するが、この際、図示しない内蔵のタイマから時刻情報を取り込んで、試験が開始又は終了された時刻も一緒に表示させるようにしてもよい。
【００２１】
制御部３１は、試験結果に異常があるか否かを判定し、試験回路２４Ｃの試験結果が異常のとき、点滅回路２７を動作させる共に、第２の切換スイッチ２８を切り換えて、ドアホン４０の表示灯４７を、点滅させ、異常表示制御を行う。また、試験結果に、異常がなければ、表示灯４７をそのまま点灯させておいて、正常表示制御を行う。
【００２２】
このように、ドアホン４０に表示灯４７を設け、試験回路２４Ｃの試験結果が異常のとき、表示灯４７を点滅させるようにしたので、ドアホン側で、試験スイッチ４６を操作した点検業者は、火災感知器１０の試験において、異常があったことを知ることができる。
【００２３】
この場合には、点検業者は、例えば、呼出釦４２を押して、呼出回路４１を動作させて、呼出信号を通話線Ｌ１に出力する。呼出検出回路２１が呼出信号を受信すると、図示しないスピーカから呼出音が出力される。ここで、居住者が操作部２９の通話釦を押すと、第１の切換スイッチ２３が閉じて、通話部２２と通話回路４３が接続されるので、点検業者は、居住者に火災感知器１０が正常でない旨を連絡することができる。
【００２４】
一方、居住者が不在だとしても、試験回路２４Ｃの試験結果は、表示部３０に表示されるので、居住者は、表示部３０を見ることで、自宅の火災感知器１０が正常であるか否かを知ることができる。もし、試験結果に異常があれば、管理室に連絡するなどして、どう対処すればいいかを聞くことができる。
【００２５】
本発明は以上のように構成されるので、ドアホン４０の設置場所から、試験器を使うことなく、住戸内の火災感知器１０の試験を行うことができる。
【００２６】
本発明は以上のように構成されるが、試験線Ｌ２と試験スイッチ４６を、呼出釦４２及び通話線Ｌ１で代用するようにしてもよい。この場合には、呼出信号と試験信号とを住宅情報盤側の検出回路で識別できるように、呼出釦が所定時間以上、長押しされた場合には、試験開始の試験信号が出力されたものと判別するようにすればよい。
なお、ドアホンに液晶表示部を設けて、この標示部に試験結果を標示させるようにしてもよい。このようにすると、居住者が試験を行った場合に、点検員は、この表示部を確認するだけで、その住戸で試験が行われたかどうかを確認でき、試験完了済みなら、点検員自らは試験を行わないですむ。
【図面の簡単な説明】
【００２７】
【図１】本発明のインターホンシステムのブロック図である。
【符号の説明】
【００２８】
２０  住宅情報盤、  ２５  試験信号検出回路、  ２４  試験回路、
２７  点滅回路  ４０  ドアホン、  ｔｔ  ４７  表示灯、
【図１】
2008257298.tif 000003